(57)【要約】【課題】使い勝手のよいジョブキャンセルキーをソフトウェアキーで実現した画像処理装置および画像処理システムを提供する。【解決手段】画像処理装置は、操作受付部と、停止キー表示手段と、ジョブ管理手段と、を備える。操作受付部は、画像を表示し当該画像に応じた操作を受け付ける表示操作部を少なくとも有する。停止キー表示手段は、画像形成部でバックグラウンド出力するジョブの実行停止指示を受け付ける停止キーを前記表示操作部に表示させ、前記操作受付部が受け付けた操作に応じて前記停止キーを非表示とし、少なくとも再表示条件を定めた停止キー表示設定に基づいて前記停止キーを表示させる。ジョブ管理手段は、前記ジョブを管理し、該ジョブを順次実行し、前記停止キーが操作を受けると実行中の前記ジョブを停止する。【選択図】図８
2016172432.tif 000002
【特許請求の範囲】
【請求項１】
画像を表示し当該画像に応じた操作を受け付ける表示操作部を少なくとも有する操作受付部と、
画像形成部でバックグラウンド出力するジョブの実行停止指示を受け付ける停止キーを前記表示操作部に表示させ、前記操作受付部が受け付けた操作に応じて前記停止キーを非表示とし、少なくとも再表示条件を定めた停止キー表示設定に基づいて前記停止キーを表示させる停止キー表示手段と、
前記ジョブを管理し、該ジョブを順次実行し、前記停止キーが操作を受けると実行中の前記ジョブを停止するジョブ管理手段と、
を備える画像処理装置。
【請求項２】
前記停止キー表示手段は、前記停止キー表示設定が前記再表示条件として前記操作受付部への無操作状態の所定時間の継続を含む場合、ジョブ実行中に無操作状態が所定時間継続すると停止キーを再表示させる
ことを特徴とする請求項１に記載の画像処理装置。
【請求項３】
前記停止キー表示設定は、アプリ毎に定められ、
前記停止キー表示手段は、使用中のアプリに対応する前記停止キー表示設定がある場合には当該停止キー表示設定に基づいて前記停止キーを表示させる
ことを特徴とする請求項１または２に記載の画像処理装置。
【請求項４】
フォアグラウンドジョブの受付に先立ちログインを求め、前記操作受付部がログイン操作を受け付け認証するとフォアグラウンドジョブの受付を可能にし、ログアウトにより認証を解除する認証手段をさらに備え、
前記停止キー表示手段は、前記停止キー表示設定が前記再表示条件としてログアウトによる認証解除時を含む場合、ログアウトの実施に伴って、停止キーを再表示させる
ことを特徴とする請求項１〜３のいずれか１項に記載の画像処理装置。
【請求項５】
前記停止キー表示設定は、ユーザ名毎に定められ、
前記停止キー表示手段は、ログイン中のユーザのユーザ名に対応する前記停止キー表示設定がある場合には当該停止キー表示設定に基づいて前記停止キーを表示させる
ことを特徴とする請求項４に記載の画像処理装置。
【請求項６】
前記停止キー表示設定は、デフォルト値を有し、
前記停止キー表示手段は、ログイン中のユーザ名に対応する前記停止キー表示設定がない場合には、前記停止キー表示設定のデフォルト値に基づいて前記停止キーを表示させる
ことを特徴とする請求項５に記載の画像処理装置。
【請求項７】
前記停止キー表示手段は、前記ジョブの実行中にログイン状態に変化があった場合、変化後のログイン状態に合致する前記停止キー表示設定に基づいて前記停止キーの表示を行う
ことを特徴とする請求項５または６に記載の画像処理装置。
【請求項８】
前記操作受付部が受け付けた操作に応じて、前記停止キー表示設定を変更する設定変更手段をさらに備える
ことを特徴とする請求項１〜７のいずれか１項に記載の画像処理装置。
【請求項９】
前記停止キー表示設定は、前記停止キーの表示位置および大きさの少なくとも一方の指定を含み、
前記停止キー表示手段は、前記指定に合致する前記停止キーを表示する
ことを特徴とする請求項１〜８のいずれか１項に記載の画像処理装置。
【請求項１０】
データに基づいて印字出力する画像形成部と、画像を表示し当該画像に応じた操作を受け付ける表示操作部を少なくとも有する操作受付部と、を備える画像形成装置と、
前記表示操作部を制御するプログラムであって、前記画像形成部でバックグラウンド出力するジョブの実行停止指示を受け付ける停止キーを表示させ、前記操作受付部が受け付けた操作に応じて前記停止キーを非表示とし、少なくとも再表示条件を定めた停止キー表示設定に基づいて前記停止キーを表示させる停止キー表示プログラムと、前記ジョブを管理し、該ジョブを順次実行し、前記停止キーが操作を受けると実行中の前記ジョブを停止するジョブ管理プログラムと、
を含む画像処理システム。
【発明の詳細な説明】
【技術分野】
【０００１】
本発明は、画像処理装置および画像処理システムに関する。
【背景技術】
【０００２】
従来、印字出力を行う画像処理装置において、印字対象のデータをユーザによるデータ投入毎に「ジョブ」として管理し、当該ジョブを投入順に実行するものがある。このような画像処理装置には、ジョブのキャンセル（不実行、実行の取り止め、中断、または消去）を受け付けるにあたり、ハードウェアキーから操作を受け付けるものだけでなく、タッチスクリーンに表示させたソフトウェアキーから操作を受け付けるものがある。
【０００３】
ソフトウェアキーには、常時表示のものと、そうでないものとがある。常時表示のソフトウェアキーは、多くは、他の操作を受け付けるソフトウェアキーとの兼ね合いから、タッチスクリーンの端に小さく表示される。つまり、常時表示と引き換えに、使い勝手が犠牲にされる。これに対し、押しやすさを優先したソフトウェアキーがある。このようなソフトウェアキーは、常時表示はされず、表示にあたって押しやすい位置に表示される。常時表示されないソフトウェアキーには、例えばポップアップ表示されるものがある。
【発明の概要】
【発明が解決しようとする課題】
【０００４】
しかしながら、上述のようなソフトウェアキーは、押しやすい位置に表示させることはできるが、当然ながら表示されているときにしか操作を受け付けられない。例えば、タッチスクリーンを使用中のユーザがいると、当該ユーザが、フォアグラウンドジョブの操作継続のために、ポップアップを閉じることがある。すると、その後はバックグラウンドジョブのキャンセルが難しくなってしまう。このように、常時表示でないソフトウェアキーにも、使い勝手の悪さ、すなわち改善の余地が残されている。
【０００５】
本発明は、上記に鑑みてなされたものであって、使い勝手のよいジョブキャンセルキーをソフトウェアキーで実現した画像処理装置および画像処理システムを提供することを目的とする。
【課題を解決するための手段】
【０００６】
上述した課題を解決し、目的を達成するために、本発明の画像処理装置は、画像を表示し当該画像に応じた操作を受け付ける表示操作部を少なくとも有する操作受付部と、画像形成部でバックグラウンド出力するジョブの実行停止指示を受け付ける停止キーを前記表示操作部に表示させ、前記操作受付部が受け付けた操作に応じて前記停止キーを非表示とし、少なくとも再表示条件を定めた停止キー表示設定に基づいて前記停止キーを表示させる停止キー表示手段と、前記ジョブを管理し、該ジョブを順次実行し、前記停止キーが操作を受けると実行中の前記ジョブを停止するジョブ管理手段と、を備えることを特徴とする。
【発明の効果】
【０００７】
本発明によれば、バックグラウンドジョブの実行に伴い表示させた停止キーを非表示化した場合に、当該停止キーを、予め設定した所定のタイミングで再表示させることができる。これにより、停止キーをタイミングよく再表示させることができる。つまり、使い勝手のよい停止キーを実現することができる。
【図面の簡単な説明】
【０００８】
【図１】図１は、第１実施形態のＭＦＰのハードウェア構成例を示す図である。
【図２】図２は、第１実施形態のＭＦＰのソフトウェア構成例を示す図である。
【図３】図３は、第１実施形態のＭＦＰの機能構成例を示す図である。
【図４】図４は、第１実施形態の操作パネルの外観を示す図である。
【図５】図５は、第１実施形態のタッチスクリーンが表示する初期設定画面を示す図である。
【図６】図６は、第１実施形態のタッチスクリーンが表示する管理者設定画面を示す図である。
【図７】図７は、第１実施形態のタッチスクリーンが表示するログイン画面を示す図である。
【図８】図８は、第１実施形態の認証機能がＯＮの場合のホーム画面を示す図である。
【図９】図９は、第１実施形態のタッチスクリーンが表示するストップキー表示設定画面を示す図である。
【図１０】図１０は、第１実施形態のストップキーの表示に関わる処理の流れを示すフローチャートである。
【図１１】図１１は、第２実施形態におけるストップキー表示設定の設定内容を示す表である。
【図１２】図１２は、第２実施形態におけるタッチスクリーンが表示するストップキー表示設定画面を示す図である。
【図１３】図１３は、第２実施形態におけるホーム画面の例を示す図である。
【図１４】図１４は、第２実施形態におけるストップキーの表示に関わる処理の流れを示すフローチャートである。
【図１５】図１５は、第３実施形態におけるタッチスクリーンが表示するストップキー表示設定画面を示す図である。
【図１６】図１６は、第３実施形態におけるタッチスクリーンが表示するストップキー表示設定画面を示す図である。
【図１７】図１７は、第３実施形態におけるタッチスクリーンが表示するストップキー表示設定画面を示す図である。
【図１８】図１８は、第３実施形態におけるストップキー表示設定の設定内容を示す表である。
【図１９】図１９は、第３実施形態におけるホーム画面の例を示す図である。
【図２０】図２０は、第３実施形態におけるストップキーの表示に関わる処理の流れを示すフローチャートである。
【図２１】図２１は、第４実施形態におけるＭＦＰの機能構成例を示す図である。
【図２２】図２２は、第４実施形態におけるユーザがログイン中でバックグラウンドジョブ実行中のホーム画面を示す図である。
【発明を実施するための形態】
【０００９】
以下、添付図面を参照しながら、本発明に係る画像処理装置および画像処理システムの第１実施形態を詳細に説明する。以下では、本発明に係る画像処理装置を、複合機（ＭＦＰ：Multifunction  Peripheral）に適用した場合を例に挙げて説明するが、これに限定されるものではない。なお、複合機とは、プリンタ機能、コピー機能、スキャナ機能、およびファクス（ＦＡＸ：Facsimile（ファクシミリ））機能のうち少なくとも２つの機能を有する装置である。
【００１０】
図１は、本実施形態のＭＦＰ１のハードウェア構成例を示すブロック図である。図１に示すように、ＭＦＰ１は、コピー機能、スキャナ機能、ファクス機能、プリンタ機能などの各種の機能を実現可能な本体１０と、ユーザの操作に応じた入力を受け付ける操作部２０と、を備える。本体１０と操作部２０は、専用の通信路３００を介して相互に通信可能に接続されている。通信路３００は、例えばＵＳＢ（Universal  Serial  Bus）規格のものを用いることもできるが、有線か無線かを問わず任意の規格のものであってよい。
【００１１】
なお、本体１０は、操作部２０で受け付けた操作に応じた動作を行うことができる。また、本体１０は、クライアントＰＣ（パーソナルコンピュータ）などの外部装置とも通信可能であり、外部装置から受信した指示に応じた動作を行うこともできる。
【００１２】
まず、本体１０のハードウェア構成について説明する。図１に示すように、本体１０は、ＣＰＵ１１と、ＲＯＭ１２と、ＲＡＭ１３と、ＨＤＤ（ハードディスクドライブ）１４と、通信Ｉ／Ｆ（インタフェース）１５と、接続Ｉ／Ｆ１６と、エンジン部１７とを備え、これらがシステムバス１８を介して相互に接続されている。
【００１３】
ＣＰＵ１１は、本体１０の動作を統括的に制御する。ＣＰＵ１１は、ＲＡＭ１３をワークエリア（作業領域）としてＲＯＭ１２またはＨＤＤ１４などに格納されたプログラムを実行することで、本体１０全体の動作を制御し、上述したコピー機能、スキャナ機能、ファクス機能、プリンタ機能などの各種機能を実現する。
【００１４】
通信Ｉ／Ｆ１５は、ネットワーク３０と接続するためのインタフェースである。接続Ｉ／Ｆ１６は、通信路３００を介して操作部２０と通信するためのインタフェースである。
【００１５】
エンジン部１７は、コピー機能、スキャナ機能、ファクス機能、および、プリンタ機能を実現させるための、汎用的な情報処理および通信以外の処理を行うハードウェアである。例えば、原稿の画像をスキャンして読み取るスキャナ（画像読取部）、用紙などのシート材への印字を行うプリンタ（画像形成部）、ファクス通信を行うファクス部などを備えている。さらに、印字済みシート材を仕分けるフィニッシャや、原稿を自動給送するＡＤＦ（自動原稿給送装置）のような特定のオプションを備えることもできる。
【００１６】
次に、操作部２０のハードウェア構成について説明する。図１に示すように、操作部２０は、ＣＰＵ２１と、ＲＯＭ２２と、ＲＡＭ２３と、フラッシュメモリ２４と、通信Ｉ／Ｆ２５と、接続Ｉ／Ｆ２６と、操作パネル２７と、外部接続Ｉ／Ｆ２８と、を備え、これらがシステムバス２９を介して相互に接続されている。
【００１７】
ＣＰＵ２１は、操作部２０の動作を統括的に制御する。ＣＰＵ２１は、ＲＡＭ２３をワークエリア（作業領域）としてＲＯＭ２２またはフラッシュメモリ２４などに格納されたプログラムを実行することで、操作部２０全体の動作を制御し、ユーザから受け付けた入力に応じた情報（画像）の表示などの後述する各種機能を実現する。
【００１８】
通信Ｉ／Ｆ２５は、ネットワーク３０と接続するためのインタフェースである。接続Ｉ／Ｆ２６は、通信路３００を介して本体１０と通信するためのインタフェースである。
【００１９】
操作パネル２７は、操作受付部の一例であって、タッチスクリーン（表示操作部）２７１およびキーボード２７２を備える（図４（後述）に外観を示す）。キーボード２７２は、ハードウェアキーの集合である。
【００２０】
タッチスクリーン２７１は、ユーザの操作に応じた各種の入力を受け付けるとともに、各種の情報（例えば受け付けた操作に応じた情報、ＭＦＰ１の動作状況を示す情報、設定状態などを示す情報など）を表示する。
【００２１】
タッチスクリーン２７１は、例えば、タッチパネル機能を搭載した液晶表示装置（ＬＣＤ）やタッチパネル機能が搭載された有機ＥＬ表示装置である。なお、タッチスクリーン２７１は、この構成に限られるものではなく、画像を表示するとともに当該画像に応じた操作を受け付けるものであればよい。
【００２２】
なお、上記操作パネル２７が備える表示機能に加えて（または代えて）、表示部としてランプなどを設けることもできる。また、操作パネル２７が、例えばキーボード２７２を備えずタッチスクリーン２７１のみで構成されていてもよい。
【００２３】
外部接続Ｉ／Ｆ２８は、ＩＣカードリーダなどの周辺装置と接続するためのインタフェースである。
【００２４】
次に、ＭＦＰ１のソフトウェア構成について説明する。図２は、ＭＦＰ１のソフトウェア構成の一例を示す模式図である。図２に示すように、本体１０は、アプリ層１０１と、サービス層１０２と、ＯＳ層１０３とを有する。アプリ層１０１、サービス層１０２、および、ＯＳ層１０３の実体は、ＲＯＭ１２やＨＤＤ１４などに格納されている各種ソフトウェアである。ＣＰＵ１１が、これらのソフトウェアを実行することにより、各種の機能が提供される。
【００２５】
アプリ層１０１のソフトウェアは、ハードウェア資源を動作させて所定の機能を提供するためのソフトウェアであり、アプリケーションソフトウェア（以下の説明では、単に「アプリ」と称する場合がある）と言われる。例えばアプリとしては、コピー機能を提供するためのコピーアプリ、スキャナ機能を提供するためのスキャナアプリ、ファクス機能を提供するためのファクスアプリ、プリンタ機能を提供するためのプリンタアプリなどが挙げられる。
【００２６】
サービス層１０２のソフトウェアは、アプリ層１０１とＯＳ層１０３との間に介在し、アプリに対し、本体１０が備えるハードウェア資源を利用するためのインタフェースを提供するためのソフトウェアである。より具体的には、ハードウェア資源に対する動作要求の受付、動作要求の調停を行う機能を提供するためのソフトウェアである。サービス層１０２が受け付ける動作要求としては、スキャナによる読み取りやプリンタによる印字などの要求が考えられる。
【００２７】
なお、サービス層１０２によるインタフェースの機能は、本体１０のアプリ層１０１だけではなく、操作部２０のアプリ層２０１に対しても提供される。すなわち、操作部２０のアプリ層２０１（アプリ）も、サービス層１０２のインタフェース機能を介して、本体１０のハードウェア資源（例えばエンジン部１７）を利用した機能を実現することができる。
【００２８】
ＯＳ層１０３のソフトウェアは、本体１０が備えるハードウェア資源を制御する基本機能を提供するための基本ソフトウェア（オペレーティングシステム）である。サービス層１０２のソフトウェアは、各種アプリからのハードウェア資源の利用要求を、ＯＳ層１０３が解釈可能なコマンドに変換してＯＳ層１０３に渡す。そして、ＯＳ層１０３のソフトウェアによりコマンドが実行されることで、ハードウェア資源は、アプリの要求に従った動作を行う。
【００２９】
同様に、操作部２０は、アプリ層２０１と、サービス層２０２と、ＯＳ層２０３とを有する。操作部２０が備えるアプリ層２０１、サービス層２０２およびＯＳ層２０３も、階層構造については本体１０側と同様である。ただし、アプリ層２０１のアプリにより提供される機能や、サービス層２０２が受け付け可能な動作要求の種類は、本体１０側とは異なる。アプリ層２０１のアプリは、操作部２０が備えるハードウェア資源を動作させて所定の機能を提供するためのソフトウェアであってもよいが、主として本体１０が備える機能（コピー機能、スキャナ機能、ファクス機能、プリンタ機能）に関する操作や表示を行うためのＵＩ（ユーザインタフェース）の機能を提供するためのソフトウェアである。
【００３０】
なお、本実施形態では、機能の独立性を保つために、本体１０側のＯＳ層１０３のソフトウェアと操作部２０側のＯＳ層２０３のソフトウェアが互いに異なる。つまり、本体１０と操作部２０は、別々のオペレーティングシステムで互いに独立して動作する。例えば、本体１０側のＯＳ層１０３のソフトウェアとしてＬｉｎｕｘ（登録商標）を用い、操作部２０側のＯＳ層２０３のソフトウェアとしてＡｎｄｒｏｉｄ（登録商標）を用いることも可能である。
【００３１】
以上のように、本実施形態のＭＦＰ１において、本体１０と操作部２０は別々のオペレーティングシステムで動作するため、本体１０と操作部２０との間の通信は、共通の装置内のプロセス間通信ではなく、異なる装置間の通信として行われる。操作部２０が受け付けた情報（ユーザからの指示内容）を本体１０へ伝達する動作（コマンド通信）や、本体１０が操作部２０へイベントを通知する動作などがこれに該当する。ここでは、操作部２０が本体１０へコマンド通信を行うことにより、本体１０の機能を使用することができる。また、本体１０から操作部２０に通知するイベントには、本体１０における動作の実行状況、本体１０側で設定された内容などが挙げられる。
【００３２】
また、本実施形態では、操作部２０に対する電力供給は、本体１０から通信路３００を経由して行われているので、操作部２０の電源制御を、本体１０の電源制御とは別に（独立して）行うことができる。
【００３３】
なお、この例では、本体１０と操作部２０は、通信路３００を介して電気的かつ物理的に接続されているが、本体１０から操作部２０を取り外し可能としてもよい。この場合、本体１０および操作部２０に、例えば赤外線通信部、ＲＦ（Radio  Frequency）通信部、ブルートゥース（登録商標）通信部などの近距離無線通信部を設ける。または、本体１０および操作部２０に、Ｗｉ−Ｆｉ（登録商標）などの無線ＬＡＮ通信機能を設け、図２に示すように無線ＬＡＮアクセスポイント（無線ＬＡＮＡＰ）３１およびネットワーク３０を介して相互に通信可能としてもよい。ＬＡＮは、「Local  Area  Network」の略記である。本体１０から操作部２０を取り外し可能である場合、操作部２０は、通信路３００を介して本体１０から供給された電力を二次電池に蓄電しておき、本体１０から取り外された際に、二次電池に蓄電された電力を用いて動作して本体１０と通信を行う。
【００３４】
図３は、ＭＦＰ１の機能構成例を示す図である。図３に示すように、本体１０は、ＣＰＵ１１がプログラムを実行することで実現される機能（モジュール）であるデータ受信手段４１、プリンタジョブ管理手段４２、およびエンジン制御手段４３を備えている。
【００３５】
また、操作部２０は、ＣＰＵ２１がプログラムを実行することで実現される機能（モジュール）であるストップキー表示手段５１、ストップキー検知手段５２、ログイン状態管理手段５３、およびストップキー表示設定変更手段５４を備えている。そして、フラッシュメモリ２４は、ストップキー表示設定２４ａを記憶している。
【００３６】
通信Ｉ／Ｆ１５は、ＰＣ（Personal  Computer、パーソナルコンピュータ）などの外部装置からプリンタデータを受信可能に、ネットワーク３０と接続している。データ受信手段４１は、通信Ｉ／Ｆ１５経由で外部装置から送られてくるプリンタデータを受信し、当該データを本体１０のＲＡＭ１３に格納する。
【００３７】
プリンタジョブ管理手段４２は、ＲＡＭ１３に格納されたプリンタデータ、およびジョブを管理する。例えば、プリンタジョブ管理手段４２は、エンジン制御手段４３が使用可能かを監視し、使用可能になったらジョブを開始する。また、プリンタジョブ管理手段４２は、ジョブを順次実行する。
【００３８】
エンジン制御手段４３は、プリンタジョブ管理手段４２からの要求を受けて、エンジン部１７を制御し、該エンジン部１７にプリンタデータを出力させる。エンジン部１７は、エンジン制御手段４３の制御に従い、プリンタデータに基づく画像を出力（印字ないし印刷）する。
【００３９】
さらに、プリンタジョブ管理手段４２は、ストップキー表示手段５１に対して、ジョブの開始および終了を通知（出力）する。さらに、プリンタジョブ管理手段４２は、ストップキー（停止キー）（図８（後述）に外観を示す）６１の押下イベントを検知すると、ジョブを停止する。
【００４０】
ここで、ストップキー６１は、タッチスクリーン２７１に表示されるソフトウェアキーである。ストップキー６１は、実行中のジョブのキャンセルを指示する操作（実行停止指示）を受け付ける。ストップキー６１が操作を受けると、タッチスクリーン２７１は、その旨を示す信号を出力する。
【００４１】
ストップキー検知手段５２は、タッチスクリーン２７１がストップキー６１に操作を受けたことを示す信号を出力した場合、プリンタジョブ管理手段４２に、ストップキー押下イベントを通知する。
【００４２】
ストップキー表示手段５１は、フラッシュメモリ２４に格納されているストップキー表示設定２４ａに従い、タッチスクリーン２７１へのストップキー６１の表示方法を決定する。また、ストップキー表示手段５１は、ジョブの実行状態やログイン状態に応じて、タッチスクリーン２７１に対して、ストップキー６１を表示するか否かの制御を行う。そして、ストップキー表示手段５１は、ストップキー６１の表示に際しては、ストップキー表示設定２４ａにおける指定に合致する態様のストップキー６１を表示する。
【００４３】
ストップキー表示設定変更手段５４は、タッチスクリーン２７１にストップキー表示設定画面（図９、後述）Ｓｃ４を表示してユーザからの変更要求操作を受け付け、タッチスクリーン２７１が受けた操作に応じてストップキー表示設定２４ａを変更する。
【００４４】
ログイン状態管理手段５３は、ユーザのログイン中であるか否かを管理する。ユーザがログインないしログアウトの操作を行うと、タッチスクリーン２７１はその旨を示す信号を出力する。当該信号が出力されると、ログイン状態管理手段５３は、ストップキー表示手段５１に、ログインまたはログアウトが実施されたことを通知（出力）する。
【００４５】
ここで、図４〜図７を参照して、ユーザ認証について説明する。図４は、操作パネル２７の外観を示す図である。図５は、タッチスクリーン２７１が表示する初期設定画面Ｓｃ１を示す図である。図６は、タッチスクリーン２７１が表示する管理者設定画面Ｓｃ２を示す図である。図７は、タッチスクリーン２７１が表示するログイン画面Ｓｃ３を示す図である。
【００４６】
図４に戻り、操作パネル２７は、キーボード２７２に、プリントキー７１、テンキー７２、クリアキー７３、リセットキー７４、初期設定キー７５、およびログアウトキー７６を備えている。
【００４７】
プリントキー７１は、複写動作の開始指示を受け付けるためのキーである。テンキー７２は、複写枚数の指定などを受け付けるためのキーである。クリアキー７３は、テンキー７２による枚数指定などを初期化する（例えば「１」などの所定値に戻す）指示を受け付けるためのキーである。リセットキー７４は、複写の倍率やスキャンの解像度の指定などを初期化する指示を受け付けるためのキーである。
【００４８】
初期設定キー７５は、初期設定画面Ｓｃ１への移行指示を受け付けるためのキーである。初期設定画面Ｓｃ１は、ＭＦＰ１の初期状態を任意にカスタマイズする操作を受け付ける各種設定画面への遷移キーを含む。当該遷移キーの一つとして、初期設定画面Ｓｃ１は、管理者設定キー８１を有する。該管理者設定キー８１が操作を受けると、タッチスクリーン２７１は、ログイン画面Ｓｃ３を表示し、ログイン操作を経て、管理者設定画面Ｓｃ２を表示する。
【００４９】
ログイン画面Ｓｃ３は、ログイン操作を受け付ける画面であり、ユーザ名入力欄８２やパスワード入力欄８３、認証実行キー８４などを有する。当該ログイン画面Ｓｃ３は、管理者設定画面Ｓｃ２や、フォアグラウンドジョブを受け付けるホーム画面Ｓｃ０に重ねて表示される。
【００５０】
なお、本実施形態におけるフォアグラウンドジョブとは、バックグラウンドジョブと区別するための呼称である。本実施形態におけるバックグラウンドジョブとは、通信Ｉ／Ｆ１５を介して外部装置から受信したデータの印字出力など、操作パネル２７を直接操作しないジョブである。これに対してのフォアグラウンドジョブは、操作パネル２７を直接操作して実施するジョブである。
【００５１】
管理者設定画面Ｓｃ２は、ユーザ登録設定キー８５や、管理者登録設定キー８６、認証機能設定キー８７などを有する。ユーザ登録設定キー８５は、ＭＦＰ１の使用を許可されたユーザを登録する画面に遷移するためのキーである。管理者登録設定キー８６は、ＭＦＰ１の管理者情報を変更ないし新たに登録する画面に遷移するためのキーである。
【００５２】
認証機能設定キー８７は、認証機能のＯＮとＯＦＦとを切り替える画面に遷移するためのキーである。認証機能をＯＮにした場合、フォアグラウンドジョブの受付に先立ってログイン操作を求める設定となる。
【００５３】
当該設定に従って、ＣＰＵ２１は、認証手段として機能し、フォアグラウンドジョブの受付に先立ちログインを求め、操作パネル２７が受け付けた情報を認証すると、登録済みユーザのログインがあったとしてフォアグラウンドジョブの受付を可能にし、ログアウト操作の受け付けにより上記認証を解除する。
【００５４】
また、認証機能をＯＦＦにした場合は、フォアグラウンドジョブの受付に際してログインを要しない。
【００５５】
図４に戻り、ログアウトキー７６は、ログアウト操作を受け付けるためのキーである。ログアウトは、フォアグラウンドジョブの受付に先立ってログインを求める設定であった場合のログイン状態や管理者設定画面Ｓｃ２へのログイン状態を、終了させる宣言である。
【００５６】
図８は、認証機能がＯＮの場合のホーム画面Ｓｃ０である。（ａ）〜（ｃ）はログイン状態のもので、ログアウトキー６３を有し、（ｄ）はログアウト状態のもので、ログインキー６４を有している。また、（ａ）は、バックグラウンドジョブが実行されていない状態のもの、（ｂ）は、バックグラウンドジョブが実行開始したときのものである。
【００５７】
（ａ）に示す通常状態のホーム画面Ｓｃ０を表示中に、プリンタジョブ管理手段４２によりバックグラウンドジョブが実行開始されると、ストップキー表示手段５１は、（ｂ）に示すように、ホーム画面Ｓｃ０に重ねて、ストップキー６１および閉じるキー６２を表示する。ストップキー６１が表示されている間、タッチスクリーン２７１は、ホーム画面Ｓｃ０による操作受付を休止する。
【００５８】
ストップキー６１が操作されると、ストップキー検知手段５２が、ストップキー押下イベントをプリンタジョブ管理手段４２に通知する。すると、プリンタジョブ管理手段４２は、実行中のジョブをキャンセルする。
【００５９】
閉じるキー６２が操作されると、ストップキー表示手段５１は、（ｃ）に示すようにストップキー６１を閉じる（消去する、非表示にする）。これによりタッチスクリーン２７１は、ホーム画面Ｓｃ０による操作受付状態に戻る。
【００６０】
ホーム画面Ｓｃ０においてログアウトキー６３が操作されると、タッチスクリーン２７１は、ホーム画面Ｓｃ０を（ｄ）に示すログアウト状態に切り替える。
【００６１】
ここで、ストップキー表示設定２４ａにおいて、ログアウト時にストップキー６１を再表示する設定になっていて、バックグラウンドジョブが実行中である場合には、ストップキー表示手段５１は、（ｄ）に示すように、タッチスクリーン２７１に、ストップキー６１および閉じるキー６２を再表示させる。
【００６２】
図９は、タッチスクリーン２７１が表示するストップキー表示設定画面Ｓｃ４を示す図である。該ストップキー表示設定画面Ｓｃ４には、ストップキー表示設定２４ａの設定内容が表示される。ストップキー表示設定２４ａは、例えば、キー表示有無９１、キー上下位置９２、キー左右位置９３、再表示条件９４、再表示時間９５などの各種項目を有する。
【００６３】
なお、ストップキー表示設定２４ａは、例えば、ストップキー６１の大きさや色、濃度などを、選択ないし指定するための項目を有していてもよい。
【００６４】
キー表示有無９１は、バックグラウンドジョブの実行開始時のストップキー６１の表示を行う（ＯＮ）か行わない（ＯＦＦ）かを、設定する項目である。
【００６５】
キー上下位置９２は、ストップキー６１を表示する場合のタッチスクリーン２７１における上下方向の位置を設定する項目である。本実施形態では、上、中央、下の３種類から選択を受け付けるようにしているが、実施にあたってはこれに限らない。キー左右位置９３は、ストップキー６１を表示する場合のタッチスクリーン２７１における左右方向の位置を設定する項目である。本実施形態では、左、中央、右の３種類から選択を受け付けるようにしているが、実施にあたってはこれに限らない。
【００６６】
再表示条件９４は、ストップキー６１を閉じた後、再表示させたい場合の条件を設定する項目である。本実施形態では、ログアウト時および一定時間経過時の２つを選択可能としている。
【００６７】
ここで、上記一定時間経過時とは、操作パネル２７が操作されない状態の継続時間（無操作時間）が所定の値に達したときである。この値として、任意の値を再表示時間９５で設定可能である。また、再表示時間９５が設定されない場合には、デフォルト値が設定される。
【００６８】
無操作時間は、操作パネル２７が最後に操作を受け付けてからの時間を計測して得られる。また、操作パネル２７が新規操作を受けると、これを受けて無操作時間をリセットする。
【００６９】
なお、再表示条件９４は、実施にあたって本実施形態の例に限らず、例えばログアウト時または一定時間経過時のいずれかのみでもよいし、あるいは、さらに多くの選択肢があってもよい。
【００７０】
再表示時間９５は、再表示条件９４において一定時間経過時が選択されている場合に入力を受け付ける項目であって、ストップキー６１を閉じてから再表示させるまでの時間を設定する項目である。再表示条件９４において一定時間経過時が選択されていない場合には、再表示時間９５は、使用不可能であることを示すグレーアウト（gray  out）表示とされている。ここで、本実施形態では、再表示条件９４において一定時間経過時が選択されていない場合には、再表示時間９５の値として適宜決定されたデフォルト値が設定されるとする。
【００７１】
このような構成において、図１０に示す処理が行われる。図１０は、ストップキー６１の表示に関わる処理の流れを示すフローチャートである。当該処理は、ＣＰＵ１１ないしＣＰＵ２１が実行する。なお、図１０に示す処理は、ログインが行われた後のものである。つまり、ステップＳ１においては、ユーザが操作パネル２７を操作中である。
【００７２】
まず、データ受信手段４１（ＣＰＵ１１）が、通信Ｉ／Ｆ１５経由で、ネットワーク３０により接続された外部装置からプリンタデータを受信し、当該プリンタデータをＲＡＭ１３に格納する。ＲＡＭ１３に格納されたプリンタデータは、プリンタジョブ管理手段４２（ＣＰＵ１１）が管理する。プリンタジョブ管理手段４２は、ＲＡＭ１３に格納されたプリンタデータを、バックグラウンドジョブとして順次実行する（ステップＳ１）。
【００７３】
プリンタジョブ管理手段４２は、ジョブ実行とともに、ストップキー表示手段５１（ＣＰＵ２１）に対して、ジョブの開始を通知する。すると、ストップキー表示手段５１は、フラッシュメモリ２４が記憶するストップキー表示設定２４ａを参照する（ステップＳ２）。
【００７４】
ステップＳ２において、キー表示有無９１がＯＮであれば（ステップＳ２のＹｅｓ）、ストップキー表示手段５１は、キー上下位置９２およびキー左右位置９３の設定に従って、タッチスクリーン２７１の所定位置にストップキー６１を表示させる（ステップＳ３）。また、ステップＳ２において、キー表示有無９１がＯＦＦであれば（ステップＳ２のＮｏ）、ストップキー表示手段５１は、本処理を終了する。
【００７５】
ストップキー６１の表示中は、ストップキー表示手段５１（ＣＰＵ２１）が、閉じるキー６２への操作を監視する（ステップＳ４）。閉じるキー６２が操作されない間は（ステップＳ４のＮｏ）、ストップキー表示手段５１は、プリンタジョブ管理手段４２の出力により、実行中のジョブが終了したか否かを監視する（ステップＳ５）。そして、ストップキー表示手段５１は、ジョブの実行が継続している間（ステップＳ５のＮｏ）、ステップＳ４〜Ｓ５を繰り返す。
【００７６】
閉じるキー６２への操作がないままジョブが終了すると（ステップＳ５のＹｅｓ）、ストップキー表示手段５１は、ストップキー６１を非表示化し（ステップＳ６）、本処理を終了する。
【００７７】
ステップＳ４において閉じるキー６２が操作されると（ステップＳ４のＹｅｓ）、ストップキー表示手段５１は、ストップキー６１を非表示にするとともに、タイマをセットする（ステップＳ７）。ここで、タイマには、再表示時間９５に設定された時間がセットされる。
【００７８】
次に、ストップキー表示手段５１は、プリンタジョブ管理手段４２の出力により、実行中のジョブが終了したか否かを監視する（ステップＳ８）。ここでジョブが終了すると（ステップＳ８のＹｅｓ）、ストップキー表示手段５１は、本処理を終了する。
【００７９】
ステップＳ８において、ジョブが終了しないうちは（ステップＳ８のＮｏ）、ストップキー表示手段５１は、ログイン状態管理手段５３の出力により、ログアウトが実施されたかを監視する（ステップＳ９）。ここでログアウトが実施されると（ステップＳ９のＹｅｓ）、ストップキー表示手段５１は、再表示条件９４としてログアウト時が選択されているかを判断する（ステップＳ１０）。
【００８０】
ステップＳ１０において再表示条件９４としてログアウト時が選択されている場合（ステップＳ１０のＹｅｓ）、ストップキー表示手段５１は、ステップＳ３へ戻って、タッチスクリーン２７１にストップキー６１を表示させる。
【００８１】
ステップＳ９においてログアウトが実施されない場合（ステップＳ９のＮｏ）、ストップキー表示手段５１は、処理をステップＳ１１へ進める。また、ステップＳ１０において再表示条件９４としてログアウト時が選択されていない場合（ステップＳ１０のＮｏ）、ストップキー表示手段５１は、処理をステップＳ１１へ進める。
【００８２】
ステップＳ１１において、ストップキー表示手段５１は、ステップＳ７でセットしたタイマがタイムアウトしたかを判断する。すなわち、ストップキー６１を非表示化した後、無操作時間が一定時間経過（再表示時間９５に到達）したかを判断する。当該ステップＳ１１の判断結果がＮｏである場合、すなわち、一定時間経過以前は、ストップキー表示手段５１は、処理をステップＳ８へ戻す。
【００８３】
そして、ステップＳ１１の判断結果がＹｅｓである場合、すなわち、ストップキー６１を非表示化した後、無操作時間が再表示時間９５に到達した場合、ストップキー表示手段５１は、処理をステップＳ１２へ進める。
【００８４】
ステップＳ１２において、ストップキー表示手段５１は、再表示条件９４として一定時間経過時が選択されているかを判断する。当該ステップＳ１２における判断がＹｅｓであった場合には、ストップキー表示手段５１は、ステップＳ３へ戻って、タッチスクリーン２７１にストップキー６１を表示させる。また、ステップＳ１２における判断がＮｏであった場合には、ストップキー表示手段５１は、処理をステップＳ８へ戻す。
【００８５】
以上、本実施形態によれば、タッチスクリーン２７１においてフォアグラウンドジョブの操作中、ストップキー６１が表示されても、これを非表示とすることができる。そして、再表示する条件や時間の設定により、バックグラウンドジョブの実行に伴い表示させたストップキー６１を非表示化しても、当該ストップキー６１を、フォアグラウンドジョブの操作を終えたタイミング（予め設定した所定のタイミング）で再表示させることができる。これにより、ストップキー６１をタイミングよく再表示させることができる。つまり、使い勝手のよいストップキー６１を実現することができる。
【００８６】
また、本実施形態によれば、上述のタイミングを、再表示条件９４および再表示時間９５によって、ユーザが任意に設定することができる。より詳しくは、フォアグラウンドジョブのユーザのログアウトに伴ってバックグラウンドジョブのストップキー６１を再表示することを設定でき、フォアグラウンドジョブのユーザの無操作時間が長くなった場合にバックグラウンドジョブのストップキー６１を再表示することを設定できる。
【００８７】
さらに、キー表示有無９１によって、ストップキー６１の再表示を行うか否かをも、ユーザが任意に設定することができる。
【００８８】
また、本実施形態では、キー上下位置９２およびキー左右位置９３によって、タッチスクリーン２７１上のユーザにとって押しやすい位置に、ストップキー６１を配置することができる。
【００８９】
そして、ストップキー表示設定２４ａに、ストップキー６１の大きさや色、濃度などを、選択ないし指定するための項目を設ければ、ユーザにとって適切な大きさ、ユーザにとって視認性のよい色、使い勝手のよい濃度などを選択ないし指定することができる。
【００９０】
なお、本実施形態の画像処理装置で実行されるプログラムは、ＲＯＭ等に予め組み込まれて提供される。また、本実施形態では、ストップキー表示設定２４ａをフラッシュメモリ２４が記憶しているが、これは一例であって、実施にあたっては、他の記憶装置がストップキー表示設定２４ａを記憶していてもよく、ストップキー表示手段５１がストップキー表示設定２４ａを間接的にでも参照できれば構わない。
【００９１】
次に、第２実施形態について説明する。本実施形態は、第１実施形態の変形例である。本実施形態では、第１実施形態と同じ部分についての説明を省略し、第１実施形態と異なる部分について説明する。
【００９２】
本実施形態では、ストップキー表示設定２４ａの設定を、ユーザ毎に可能とする。つまり、フラッシュメモリ２４は、ストップキー表示設定２４ａとして、ユーザ毎に設定を記憶する。これにより、ストップキー６１を各ユーザの都合に合わせた態様にし、利便性を向上させる。
【００９３】
図１１は、ストップキー表示設定２４ａの設定内容を示す表である。本表に示すように、本実施形態では、ストップキー表示設定２４ａに、３人のユーザの設定２４１〜２４３と、システムの設定２４０とを記憶する。ストップキー表示設定２４ａの設定項目は、ユーザ毎の設定２４１〜２４３とシステムの設定２４０とで同様である。
【００９４】
ユーザ毎の設定２４１〜２４３は、各ユーザがそれぞれに登録する設定である。システムの設定２４０は、いずれのユーザもログインしていないときや設定未登録のユーザがログインしているときに用いる、いわゆるデフォルト（default）の設定である。システムの設定２４０における各設定項目には、デフォルト値が設定される。
【００９５】
ストップキー表示設定２４ａは、図１１に示すように、ユーザ名毎に、ストップキー６１の表示の有無（ＯＮ／ＯＦＦ）、キーの上下方向（Ｖ）の表示位置（上／中央／下）、キーの左右方向（Ｈ）の表示位置（左／中央／右）、再表示条件（なし／秒数指定）を定めている。ストップキー６１の表示の有無が「ＯＦＦ」である場合、他の項目は入力不可である。
【００９６】
ログイン中のユーザがストップキー表示設定２４ａを未設定の場合や、ログイン中のユーザがいない場合、ストップキー表示手段５１は、ストップキー表示設定２４ａから、ユーザ名「システム」の設定２４０を読み込んで用いる。すなわち、この場合は、ストップキー６１は中央に表示され、閉じるキー６２を使った後１０秒後に再表示される。
【００９７】
ストップキー表示手段５１は、ストップキー表示設定２４ａへの登録があるいずれかのユーザのログイン中は、当該ログイン中のユーザに対応する設定（設定２４１〜２４３のいずれか）を読み込んで用いる。例えば「Ｂさん」のログイン中は、ストップキー表示手段５１は、ストップキー６１を右下に表示し、閉じるキー６２が使われた後のストップキー６１の再表示を行わない。
【００９８】
ストップキー表示設定変更手段５４は、ログイン中のユーザによるストップキー表示設定２４ａの登録を可能とするとともに、当該ユーザに対応する設定の変更および削除を可能とする。また、ストップキー表示設定変更手段５４は、管理者によるシステムの設定２４０の変更を可能とする。
【００９９】
図１２は、タッチスクリーン２７１が表示するストップキー表示設定画面Ｓｃ４１を示す図である。ストップキー表示設定画面Ｓｃ４１には、ストップキー表示設定２４ａの設定内容が表示される。ストップキー表示設定２４ａは、例えば、キー表示有無９１、キー上下位置９２、キー左右位置９３、再表示条件９４、再表示時間９５などの各種項目を有する。
【０１００】
ここで、第１実施形態においては、再表示条件９４に「ログアウト時」という選択肢があるが、本実施形態では、ログイン中のユーザがいない場合にはシステムの設定２４０に基づく動作を行うので、ログアウト時の選択肢を除いている。したがって、再表示条件９４としては「一定時間経過」を選択するか否かのみである。ストップキー表示設定画面Ｓｃ４１は、一定時間経過が選択された場合に、再表示時間９５の入力を受け付ける。
【０１０１】
図１３は、ホーム画面の例を示す図である。まず、（ａ）はＡさんがログイン中のホーム画面Ｓｃ１１、（ｂ）はＢさんがログイン中のホーム画面Ｓｃ１２である。（ａ）のホーム画面Ｓｃ１１においては、Ａさんの設定２４１に合致する左下位置に、ストップキー６１が表示される。（ｂ）のホーム画面Ｓｃ１２においては、Ｂさんの設定２４２に合致する右下位置に、ストップキー６１が表示される。
【０１０２】
（ｃ）は、Ｂさんログイン中に閉じるキー６２が操作を受けてストップキー６１が閉じた状態のホーム画面Ｓｃ１３である。Ｂさんの設定２４２の場合、閉じるキー６２が操作された後、無操作ではストップキー６１は再表示されない。
【０１０３】
（ｄ）は、ログイン中のユーザがいない場合であってバックグラウンドジョブが実行中のホーム画面Ｓｃ１４である。ホーム画面Ｓｃ１４は、システムの設定２４０に基づくものである。Ａ〜Ｃさんいずれのユーザのログアウト時にも、バックグラウンドジョブが実行中であれば、ホーム画面Ｓｃ１４が表示される。
【０１０４】
このような構成において、図１４に示す処理が行われる。図１４は、ストップキー６１の表示に関わる処理の流れを示すフローチャートである。当該処理は、ＣＰＵ１１ないしＣＰＵ２１が実行する。なお、図１４に示す処理は、ログインが行われた後のものである。つまり、ステップＳ２１においては、ユーザが操作パネル２７を操作中である。
【０１０５】
まず、ステップＳ２１は、第１実施形態のステップＳ１と同じであって、プリンタジョブ管理手段４２は、ＲＡＭ１３に格納されたプリンタデータを、バックグラウンドジョブとして順次実行する（ステップＳ２１）。プリンタジョブ管理手段４２は、ジョブ実行とともに、ストップキー表示手段５１（ＣＰＵ２１）に対して、ジョブの開始を通知する。
【０１０６】
すると、ストップキー表示手段５１は、フラッシュメモリ２４が記憶するストップキー表示設定２４ａのうち、ログインユーザに対応する設定を参照する（ステップＳ２２）。ログインユーザに対応する設定が登録されていなければ、システムの設定２４０を参照する。
【０１０７】
ステップＳ２２において、キー表示有無９１がＯＮであれば（ステップＳ２２のＹｅｓ）、ストップキー表示手段５１は、キー上下位置９２およびキー左右位置９３の設定に従って、タッチスクリーン２７１の所定位置にストップキー６１を表示させる（ステップＳ２３）。また、ステップＳ２２において、キー表示有無９１がＯＦＦであれば（ステップＳ２２のＮｏ）、ストップキー表示手段５１は、本処理を終了する。
【０１０８】
ストップキー６１の表示中は、ストップキー表示手段５１（ＣＰＵ２１）は、タッチスクリーン２７１の出力により閉じるキー６２への操作を監視し（ステップＳ２４）、ログイン状態管理手段５３の出力によりログイン状態が変化したか否かを監視し（ステップＳ２５）、プリンタジョブ管理手段４２の出力により実行中のジョブが終了したか否かを監視する（ステップＳ２６）。
【０１０９】
そして、ストップキー表示手段５１は、閉じるキー６２が操作されず（ステップＳ２４のＮｏ）、ログイン状態に変化がなく（ステップＳ２５のＮｏ）、ジョブの実行が継続している間（ステップＳ２６のＮｏ）は、ステップＳ２４〜Ｓ２６を繰り返す。
【０１１０】
閉じるキー６２への操作がなく（ステップＳ２４のＮｏ）、ログイン状態に変化があった場合（ステップＳ２５のＹｅｓ）すなわちログアウトおよび別ユーザのログインがあった場合、ＣＰＵ２１は処理をステップＳ２２に戻す。
【０１１１】
閉じるキー６２への操作がなく（ステップＳ２４のＮｏ）、ログイン状態への変化もないまま（ステップＳ２５のＮｏ）ジョブが終了すると（ステップＳ２６のＹｅｓ）、ストップキー表示手段５１は、ストップキー６１を非表示化し（ステップＳ２７）、本処理を終了する。
【０１１２】
ステップＳ２４において閉じるキー６２が操作されると（ステップＳ２４のＹｅｓ）、ストップキー表示手段５１は、ストップキー６１を非表示にするとともに、タイマをセットする（ステップＳ２８）。ここで、タイマには、再表示時間９５に設定された時間がセットされる。
【０１１３】
次に、ストップキー表示手段５１は、プリンタジョブ管理手段４２の出力により、実行中のジョブが終了したか否かを監視する（ステップＳ２９）。ここでジョブが終了すると（ステップＳ２９のＹｅｓ）、ストップキー表示手段５１は、本処理を終了する。
【０１１４】
ステップＳ２８において、ジョブが終了しないうちは（ステップＳ２９のＮｏ）、ストップキー表示手段５１は、ログイン状態管理手段５３の出力により、ログアウトが実施されたかを監視する（ステップＳ３０）。ここでログアウトが実施されると（ステップＳ３０のＹｅｓ）、ストップキー表示手段５１は、処理をステップＳ２２へ戻す。ステップＳ３０においてログアウトが実施されない場合（ステップＳ３０のＮｏ）、ストップキー表示手段５１は、処理をステップＳ３１へ進める。
【０１１５】
ステップＳ３１において、ストップキー表示手段５１は、ステップＳ２８でセットしたタイマがタイムアウトしたかを判断する。すなわち、ストップキー６１を非表示化した後、無操作時間が一定時間経過（再表示時間９５に到達）したかを判断する。ここで、ログインユーザの設定において再表示条件９４にチェックなし（すなわち無操作時再表示無効）である場合には、ステップＳ３１の判断結果はＮｏである。当該ステップＳ３１の判断結果がＮｏである場合、すなわち、一定時間経過以前は、ストップキー表示手段５１は、処理をステップＳ２９へ戻す。
【０１１６】
そして、ステップＳ３１の判断結果がＹｅｓである場合、すなわち、ストップキー６１を非表示化した後、無操作時間が再表示時間９５に到達した場合、ストップキー表示手段５１は、処理をステップＳ３２へ進める。
【０１１７】
ステップＳ３２において、ストップキー表示手段５１は、再表示条件９４として一定時間経過時が選択されているかを判断する。当該ステップＳ３２における判断がＹｅｓであった場合には、ストップキー表示手段５１は、処理をステップＳ２２へ戻す。また、ステップＳ３２における判断がＮｏであった場合には、ストップキー表示手段５１は、処理をステップＳ２９へ戻す。
【０１１８】
以上、本実施形態によれば、各ユーザの都合に合わせたストップキー６１として、利便性を向上させることができる。例えば、Ａさんは、左利きなので、ストップキー６１を左下に表示させることによって、使いやすくすることができる。また、Ｂさんは、比較的空きスペースの多い右下にストップキー６１を表示させることによって、ストップキー６１に覆われて使えなくなるキーを減らして、使いやすくすることができる。また、Ｃさんは、ストップキー６１を使用しないので、表示しない設定にすることによって、不要なストップキー６１が表示されないようにして利便性を向上させることができる。そして、こだわりなく設定を行わないＤさんには、システムの設定値で対応できる。
【０１１９】
なお、本実施形態では、ストップキー６１の位置や再表示条件を各ユーザが設定可能として説明したが、実施にあたっては、各自設定可能な項目が異なってもよい。例えばストップキー６１の大きさや形、色などを各自設定可能としてもよいし、さらには、ストップキー６１の表示に対応して鳴る音の有無、音量、種類などを各自設定可能としてもよい。
【０１２０】
次に、第３実施形態について説明する。本実施形態は、第２実施形態の変形例である。本実施形態では、第２実施形態と同じ部分についての説明を省略し、第２実施形態と異なる部分について説明する。
【０１２１】
本実施形態では、ストップキー表示設定２４ａの設定を、ユーザ毎に且つアプリ毎に可能とする。つまり、フラッシュメモリ２４は、ストップキー表示設定２４ａとして、ユーザ毎、且つアプリ毎に、設定を記憶する。これにより、ストップキー６１を各ユーザにとってのアプリ毎の使いやすさに合わせた態様にし、利便性を向上させる。
【０１２２】
図１５〜図１７は、タッチスクリーン２７１が表示するストップキー表示設定画面Ｓｃ４２を示す図である。また、図１８は、ストップキー表示設定２４ａの設定内容を示す表である。ストップキー表示設定画面Ｓｃ４２には、ストップキー表示設定２４ａの設定内容が表示される。本実施形態では、ストップキー表示設定２４ａは、第２実施形態での各項目に加えて、指定アプリ９６を有する。
【０１２３】
指定アプリ９６は、選択肢（例えば、コピー、スキャナ、ファックス、およびプリンタ）から選んだ１つである。ストップキー表示設定変更手段５４は、ストップキー表示設定画面Ｓｃ４２において指定アプリ９６をドロップダウンリスト（drop-down list）によって示して、選択肢から１つを選択可能にする。
【０１２４】
図１５は、指定アプリ９６がコピーである場合の図である。図１６は、ドロップダウンボタン９６１を押下してドロップダウンリスト９６２を表示させた状態の図である。図１７は、指定アプリ９６がプリンタである場合の図である。図１８は、図１５および図１７での設定がユーザ名「Ａさん」の設定であることを示す。
【０１２５】
図１９は、ホーム画面の例を示す図であって、（ａ）は、ログインユーザなし且つコピー機能を使用中のホーム画面Ｓｃ２１である。（ｂ）は、ログインユーザなし且つプリンタ機能を使用中のホーム画面Ｓｃ２２である。（ｃ）は、Ａさんログイン中、且つコピー機能を使用中のホーム画面Ｓｃ２３である。（ｄ）は、Ａさんログイン中、且つプリンタ機能を使用中のホーム画面Ｓｃ２４である。
（ａ）のホーム画面Ｓｃ２１においては、システムのコピー機能用の設定２４４に合致する中央位置に、ストップキー６１が表示される。（ｂ）のホーム画面Ｓｃ２２においては、システムのプリンタ機能用の設定２４５に合致する中央位置に、ストップキー６１が表示される。
（ｃ）のホーム画面Ｓｃ２３においては、Ａさんのコピー機能用の設定２４６に応じて、ストップキー６１の表示を行わない。（ｄ）のホーム画面Ｓｃ２４においては、Ａさんのプリンタ機能用の設定２４７に合致する右下位置に、ストップキー６１が表示される。
【０１２６】
図２０は、ストップキー６１の表示に関わる処理の流れを示すフローチャートである。ステップＳ４１は、第２実施形態のステップＳ２１と同じである。ステップＳ４２において、ストップキー表示手段５１は、フラッシュメモリ２４が記憶するストップキー表示設定２４ａのうち、ログインユーザおよび使用中のアプリに対応する設定を参照する（ステップＳ４２）。ステップＳ４２において、キー表示有無９１がＯＮであれば（ステップＳ４２のＹｅｓ）、ストップキー表示手段５１は、キー上下位置９２およびキー左右位置９３の設定に従って、タッチスクリーン２７１の所定位置にストップキー６１を表示させる（ステップＳ４３）。
【０１２７】
ステップＳ４４〜Ｓ５０，Ｓ５２は、第２実施形態のステップＳ２４〜Ｓ３０，Ｓ３２と同じである。ステップＳ５１において、ストップキー表示手段５１は、ステップＳ４８でセットしたタイマがタイムアウトしたかを判断するが、当該判断に際し、ログインユーザおよび使用中のアプリに対応する設定において再表示条件９４にチェックなしの場合、ステップＳ５１の判断結果はＮｏである。
【０１２８】
以上、本実施形態によれば、ユーザは、アプリ毎に異なる位置やタイミングでストップキー６１を表示させることができる。したがって、アプリ毎に表示させたい位置やタイミングが異なる場合に対応でき、利便性が高くなる。
【０１２９】
次に、第４実施形態について説明する。本実施形態は、第１実施形態の変形例である。本実施形態では、第１実施形態と同じ部分についての説明を省略し、第１実施形態と異なる部分について説明する。
【０１３０】
本実施形態では、ストップキー表示設定２４ａの設定を、アプリ毎に可能とする。これにより、各アプリケーションの特性に合わせたストップキー６１の表示設定にすることができ、利便性を向上させることができる。
【０１３１】
図２１は、ＭＦＰ１の機能構成例を示す図である。本実施形態では、操作部２０は、第１実施形態におけるストップキー表示設定変更手段５４を備えない。また、操作部２０は、複数のアプリ（アプリ１、…、アプリ４、…）を備えている。
【０１３２】
アプリとしては、第１実施形態と同様に、例えば、コピー機能を提供するためのコピーアプリ、スキャナ機能を提供するためのスキャナアプリ、ファクス機能を提供するためのファクスアプリ、プリンタ機能を提供するためのプリンタアプリなどがある。本実施形態では、各々のアプリが、予め、ストップキー表示設定を記憶している。ストップキー表示設定は、各アプリの特性に応じて定められる。
【０１３３】
ストップキー表示手段５１は、各アプリが記憶するストップキー表示設定に従って、タッチスクリーン２７１へのストップキー６１の表示を行う。図２２は、ユーザがログイン中でバックグラウンドジョブ実行中のホーム画面を示す図であり、（ａ）はアプリ１のホーム画面Ｓｃ３１、（ｂ）は、アプリ２のホーム画面Ｓｃ３２である。
【０１３４】
アプリ１のストップキー表示設定には、ストップキー６１の表示位置が、左右位置は右、上下位置は中央、と定められている。また、アプリ２のストップキー表示設定には、ストップキー６１の表示位置が、左右位置は左、上下位置は下、と定められている。
【０１３５】
上述のように、本実施形態によれば、各アプリにおいてタッチスクリーン２７１への情報や各種キーの表示状態に応じたストップキー表示設定を記憶し当該設定に従うことにより、最適な位置にストップキー６１を表示することができる。これにより、各アプリで使用頻度の高いキーや重要な情報が表示される範囲を避けてストップキー６１を表示させることができるので、ストップキー６１がアプリへの操作を妨げる不都合を起こりにくくすることができる。
【０１３６】
上記各実施形態の画像処理装置で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【０１３７】
さらに、上記各実施形態の画像処理装置で実行されるプログラムを、インターネット等のネットワークに接続されたコンピュータ上に格納し、ネットワーク経由でダウンロードさせることにより提供するように構成してもよい。また、各実施形態の画像処理装置で実行されるプログラムをインターネット等のネットワーク経由で提供または配布するように構成してもよい。
【０１３８】
上記各実施形態の画像処理装置で実行されるプログラムは、上述した各部（データ受信手段４１、プリンタジョブ管理手段４２、エンジン制御手段４３、ストップキー表示手段５１、ストップキー検知手段５２、ログイン状態管理手段５３、およびストップキー表示設定変更手段５４）を含むモジュール構成となっており、実際のハードウェアとしてはＣＰＵ（プロセッサ）が上記ＲＯＭからプログラムを読み出して実行することにより上記各部が主記憶装置上にロードされ、上記各部が主記憶装置上に生成されるようになっている。
【０１３９】
なお、上記各実施形態では、本発明の画像処理装置を、コピー機能、プリンタ機能、スキャナ機能およびファクシミリ機能のうち少なくとも２つの機能を有する複合機に適用した例を挙げて説明するが、複写機、プリンタ、スキャナ装置、ファクシミリ装置等の画像処理装置であればいずれにも適用することができる。
【符号の説明】
【０１４０】
１…ＭＦＰ（画像処理装置）、
１０…本体、
１１…ＣＰＵ、１２…ＲＯＭ、１３…ＲＡＭ、１４…ＨＤＤ、
１５…通信Ｉ／Ｆ、１６…接続Ｉ／Ｆ、１７…エンジン部（画像形成部）、
１８…システムバス、
２０…操作部、
２１…ＣＰＵ、２２…ＲＯＭ、２３…ＲＡＭ、
２４…フラッシュメモリ、２４ａ…ストップキー表示設定（停止キー表示設定）、
２５…通信Ｉ／Ｆ、２６…接続Ｉ／Ｆ、
２７…操作パネル（操作受付部）、
２７１…タッチスクリーン（表示操作部）、２７２…キーボード、
２８…外部接続Ｉ／Ｆ、２９…システムバス、
３０…ネットワーク、３１…無線ＬＡＮＡＰ、
１０１…アプリ層、１０２…サービス層、１０３…ＯＳ層、
２０１…アプリ層、２０２…サービス層、２０３…ＯＳ層、
３００…通信路、
４１…データ受信手段、
４２…プリンタジョブ管理手段（ジョブ管理手段）、
４３…エンジン制御手段、
５１…ストップキー表示手段（停止キー表示手段）、
５２…ストップキー検知手段、
５３…ログイン状態管理手段、
５４…ストップキー表示設定変更手段（設定変更手段）、
６１…ストップキー（停止キー）、６２…閉じるキー、
６３…ログアウトキー、６４…ログインキー、
７１…プリントキー、７２…テンキー、７３…クリアキー、
７４…リセットキー、７５…初期設定キー、７６…ログアウトキー、
８１…管理者設定キー、
８２…ユーザ名入力欄、８３…パスワード入力欄、８４…認証実行キー、
８５…ユーザ登録設定キー、８６…管理者登録設定キー、８７…認証機能設定キー、
９１…キー表示有無、９２…キー上下位置、９３…キー左右位置、
９４…再表示条件、９５…再表示時間、
Ｓｃ０…ホーム画面、
Ｓｃ１…初期設定画面、Ｓｃ２…管理者設定画面、
Ｓｃ３…ログイン画面、Ｓｃ４…ストップキー表示設定画面。
【先行技術文献】
【特許文献】
【０１４１】
【特許文献１】特開２００５−１６１６７７号公報
【図１】
2016172432.tif 000003
【図２】
2016172432.tif 000004
【図３】
2016172432.tif 000005
【図４】
2016172432.tif 000006
【図５】
2016172432.tif 000007
【図６】
2016172432.tif 000008
【図７】
2016172432.tif 000009
【図８】
2016172432.tif 000010
【図９】
2016172432.tif 000011
【図１０】
2016172432.tif 000012
【図１１】
2016172432.tif 000013
【図１２】
2016172432.tif 000014
【図１３】
2016172432.tif 000015
【図１４】
2016172432.tif 000016
【図１７】
2016172432.tif 000017
【図１８】
2016172432.tif 000018
【図１９】
2016172432.tif 000019
【図２０】
2016172432.tif 000020
【図２１】
2016172432.tif 000021
【図２２】
2016172432.tif 000022
【図１５】
2016172432.tif 000023
【図１６】
2016172432.tif 000024